(57)【要約】【課題】段ボールなどを使用しないで書籍類を書棚の格納状態と同様な配列で格納でき、その状態で移送先の書棚に格納できる書籍類移送用台車と書籍類移送方法とを提供する。【解決手段】書籍類移送用台車３は、底板３１と、側板３２と、２枚の棚板３３と、４個のキャスタとから構成されており、書籍類は２列で格納され、側板３２間の内幅Ｗは１棚分に収納される書籍類がそのまま格納できるような幅となっており、移送元の書棚の近傍で、１枚の棚板分の書籍類の１列をそのまま底板３１と下の棚板３３の間、２枚の棚板３３の間、および上の棚板３３の上に収納して、書籍類移送台車３全体をラッピングフィルムでラッピング包装して安定させ、移送先に輸送して書棚の近傍でラッピングを解き１段分の書籍類をそのまま移送先の書棚の所定の棚に収納する。【選択図】図１
2006168632.tif 000002
【特許請求の範囲】
【請求項１】
書籍類を移送元の書棚から移送先の書棚に移送するための書籍類移送用台車であって、
前記書籍類移送用台車は、書籍類格納部と該書籍類格納部を移動可能に支持する車輪とを備え、
前記書籍類格納部は、
左右に対向して直立する２枚の側板と、
左右の前記側板に左右を保持され、それぞれに前記書籍類の列が搭載される複数の棚板と、を有する書籍類移送用台車。
【請求項２】
最下部の前記棚板は前記書籍類格納部の底板を兼ねる、請求項１に記載の書籍類移送用台車。
【請求項３】
前記書籍類の列は、前記書棚の１枚の棚板上に格納されている１列の前記書籍類の列である、請求項１または請求項２に記載の書籍類移送用台車。
【請求項４】
前記棚板は３枚である、請求項１から請求項３の何れか１項に記載の書籍類移送用台車。
【請求項５】
前記棚板の上には、それぞれ２列の前記書籍類の列が並列に搭載可能である、請求項１から請求項４の何れか１項に記載の書籍類移送用台車。
【請求項６】
前記棚板の長手方向の内幅は９０〜９５ｃｍである、請求項１から請求項５の何れか１項に記載の書籍類移送用台車。
【請求項７】
前記棚板の奥行は４０〜５０ｃｍであり、前記棚板間の間隔は３２〜４０ｃｍであり、前記側板の高さは９０〜１１０ｃｍである、請求項１から請求項６の何れか１項に記載の書籍類移送用台車。
【請求項８】
前記車輪は、すべて支持軸を中心として方向が３６０度回転可能な自在キャスタである、請求項１から請求項７の何れか１項に記載の書籍類移送用台車。
【請求項９】
請求項１から請求項８の何れか１項に記載の書籍類移送用台車を用いて、書籍類を移送元の書棚から移送先の書棚に移送する書籍類移送方法であって、
前記移送元の書棚の棚に収納されている前記書籍類の１段分を、該書棚から取り出すステップと、
取り出した前記書棚１段分の前記書籍類をそのまま前記書籍類移送用台車の２枚の棚板の間、上の棚板の上のいずれかに収納するステップと、
収納した前記書籍類とともに前記書籍類移送台車全体をラッピングフィルムでラッピング包装するステップと、
ラッピング包装した前記書籍類移送台車を前記移送先の書棚の近傍まで移動させるステップと、
前記ラッピングフィルムを取り除くステップと、
収納されている前記書棚１段分の前記書籍類を取り出して、そのまま指定されている前記移送先の書棚の所定の棚の上に格納するステップと、を含む書籍類移送方法。
【請求項１０】
前記移送元の書棚の棚に収納されている前記書籍類の１段分を、該書棚から取り出すステップの前に、前記移送元の書棚の各棚に収納されている１列の前記書籍類をグループとして、前記移送先の書棚の収納すべき棚を識別するラベルを取り付けるステップを含み、
前記書籍類の１段分を該書棚から取り出すステップでは、取り付けられているラベルも共に取り出し、
収納されている内部の書棚１段分の前記書籍類を取り出して、そのまま指定されている前記移送先の書棚の所定の棚の上に格納するステップでは、取り付けられている前記ラベルに指定されている前記移送先の書棚の所定の棚の上に格納する、請求項９に記載の書籍類移送方法。
【請求項１１】
収納した前記書籍類とともに前記書籍類移送台車全体をラッピングフィルムでラッピング包装するステップと、ラッピング包装した前記書籍類移送台車を前記移送先の書棚の近傍まで移動させるステップとの間に、
ラッピング包装した前記書籍類移送台車を前記移送元の搬出口まで移動させるステップと、
ラッピング包装した前記書籍類移送台車をトラック内部に格納するステップと、
前記トラックを前記移送先の搬入口まで移動させ、該移送先でラッピング包装した前記書籍類移送台車を前記トラックから降ろすステップと、を含む請求項９または請求項１０に記載の書籍類移送方法。
【請求項１２】
ラッピング包装した前記書籍類移送台車をトラック内部に格納するステップでは、積み込み用ゲートを有するゲート付トラックの前記ゲートによってラッピング包装した前記書籍類移送台車を前記ゲート付トラック内部に格納し、
前記トラックを移送先の搬入口まで移動させ、該移送先でラッピング包装した前記書籍類移送台車を前記トラックから降ろすステップでは、該移送先で前記ゲートを利用してラッピング包装した前記書籍類移送台車を前記ゲート付トラックから降ろす、請求項１１に記載の書籍類移送方法。
【発明の詳細な説明】
【技術分野】
【０００１】
本発明は書籍類移送用台車と書籍類移送方法に関し、特に書棚１段分の書籍類をそのまま１段の棚に収納できる書籍類移送用台車とその書籍類移送用台車を用いた書籍類移送方法に関する。
【背景技術】
【０００２】
従来の移転等に伴う書籍類の書架や収納棚（以下書棚と称す）から他の書棚への移送方法について説明する。図３は従来の書籍類移送方法を示す模式的流れ図である。図３中の（ａ）から（ｌ）と矢印は書籍類７１の流れを示す。以後書籍類とは、書籍および書籍と共に書棚に格納されているファイル、資料、事務用品等を含めて書籍類と称する。書籍類７１は移送元の書棚６１に格納されている（ステップａ）。書籍類７１を、格納されている移送元の書棚６１から人手によって取り出して（ステップｂ）、組み立てられた段ボール６３に収納して（ステップｃ）、梱包する（ステップｄ）。ここでは段ボール６３として説明するが折り畳みコンテナを用いることもある。複数の段ボール６３を手押し車６４に載せて移送元の搬出口まで移動させ（ステップｅ）、ゲート付トラック６５の積み卸し用ゲートによって段ボール６３を手押し車６４ごとゲート付トラック６５の内部に格納し（ステップｆ）、ゲート付トラック６５を移送先の搬入口まで移動させ、ゲートを利用して段ボール６３が積まれた手押し車６４をゲート付トラック６５から降ろし（ステップｇ）、手押し車６４を移送先の書棚６２の近傍まで移動させて（ステップｈ）、段ボール６３を降ろし（ステップｉ）、梱包を開梱して（ステップｊ）、内部の書籍類７１を人手で取り出して（ステップｋ）、移送先の書棚６２の所定の棚上の位置に格納し（ステップｌ）、空になった段ボール６３を畳んで廃棄物として処理するのが普通であった。折り畳みコンテナを使用する場合は折り畳んで再度使用される。
【０００３】
手押し車（台車）について、上述のような用途に用いられる手押し車を検索したが図書館内の書物を利用者が利用するためのカート（特許文献１）以外に該当するものは見当たらず、書籍類の移動を目的とする台車についての先行技術文献を見出すことはできなかった。
【特許文献１】特開２００１−１５８３６０号公報
【発明の開示】
【発明が解決しようとする課題】
【０００４】
上述の移転等に伴う書籍類の書棚から他の書棚への移動においては、次のような問題点がある。即ち、
１）段ボールや折り畳みコンテナの組立、段ボールや折り畳みコンテナの収容容積に対応させた書籍類の分割詰め込み、段ボールの梱包、手押し車への積み卸し、段ボールの開封、書棚の所定位置への整列、段ボールや折り畳みコンテナの解体に多くの労力を要する。
２）段ボール使用の場合には廃材が多量に発生し、その処分を行なう必要がある。
【０００５】
本発明の目的は、段ボールや折り畳みコンテナを使用しないで書籍類を書棚の格納状態と同様な配列で格納でき、その状態で移送先の書棚に格納できる書籍類移送用台車と書籍類移送方法とを提供することにある。
【課題を解決するための手段】
【０００６】
本発明の書籍類移送用台車は、
書籍類を移送元の書棚から移送先の書棚に移送するための書籍類移送用台車であって、書籍類移送用台車は、書籍類格納部とその書籍類格納部を移動可能に支持する車輪とを備え、書籍類格納部は、左右に対向して直立する２枚の側板と、左右の側板に左右を保持され、それぞれに書籍類の列が搭載される複数の棚板とを有する。ここで最下部の棚板は書籍類格納部の底板を兼ねてもよい。
【０００７】
書籍類の列は、書棚の１枚の棚板上に格納されている１列の書籍類の列であることが望ましく、棚板は３枚であり、棚板の上には、それぞれ２列の書籍類の列が並列に搭載可能であってもよい。
【０００８】
棚板の長手方向の内幅は９０〜９５ｃｍであることが望ましく、棚板の奥行は４０〜５０ｃｍであり、棚板間の間隔は３２〜４０ｃｍであり、側板の高さは９０〜１１０ｃｍであってもよい。
【０００９】
車輪は、すべて支持軸を中心に方向が３６０度回転可能な自在キャスタであってもよい。
【００１０】
本発明の書籍類移送方法は、
上述の書籍類移送用台車を用いて、書籍類を移送元の書棚から移送先の書棚に移送する書籍類移送方法であって、移送元の書棚の棚に収納されている書籍類の１段分を、その書棚から取り出すステップと、取り出した書棚１段分の書籍類をそのまま書籍類移送用台車の２枚の棚板の間、上の棚板の上のいずれかに収納するステップと、収納した書籍類とともに書籍類移送台車全体をラッピングフィルムでラッピング包装するステップと、ラッピング包装した書籍類移送台車を移送先の書棚の近傍まで移動させるステップと、ラッピングフィルムを取り除くステップと、収納されている書棚１段分の書籍類を取り出して、そのまま指定されている移送先の書棚の所定の棚の上に格納するステップとを含む。
【００１１】
移送元の書棚の棚に収納されている書籍類の１段分を、その書棚から取り出すステップの前に、移送元の書棚の各棚に収納されている１列の書籍類をグループとして、移送先の書棚の収納すべき棚を識別するラベルを取り付けるステップを含み、書籍類の１段分をその書棚から取り出すステップでは、取り付けられているラベルも共に取り出し、収納されている内部の書棚１段分の書籍類を取り出して、そのまま指定されている移送先の書棚の所定の棚の上に格納するステップでは、取り付けられているラベルに指定されている移送先の書棚の所定の棚の上に格納してもよい。
【００１２】
収納した書籍類とともに書籍類移送台車全体をラッピングフィルムでラッピング包装するステップと、ラッピング包装した書籍類移送台車を移送先の書棚の近傍まで移動させるステップとの間に、ラッピング包装した書籍類移送台車を移送元の搬出口まで移動させるステップと、ラッピング包装した書籍類移送台車をトラック内部に格納するステップと、トラックを移送先の搬入口まで移動させ、その移送先でラッピング包装した書籍類移送台車をトラックから降ろすステップとを含んでいてもよい。
【００１３】
ラッピング包装した書籍類移送台車をトラック内部に格納するステップでは、積み込み用ゲートを有するゲート付トラックのゲートによってラッピング包装した書籍類移送台車をゲート付トラック内部に格納し、トラックを移送先の搬入口まで移動させ、その移送先でラッピング包装した書籍類移送台車をトラックから降ろすステップでは、その移送先でゲートを利用してラッピング包装した書籍類移送台車をゲート付トラックから降ろしてもよい。
【００１４】
書籍類移送台車に書棚と同様の幅の棚板が設けられているので書棚に格納されている書籍類の１段分を格納された状態で移送先の書棚に移送できる。
【発明の効果】
【００１５】
本発明では、書籍類移送用台車が書棚の書籍類収納幅に対応する幅を有する複数段の棚を有しており、書棚の１段分の書籍類をそのまま１段の棚に収納でき、移送後も棚１段分の書籍類をそのまま書棚の１段に移し変えることができるので、段ボールや折畳みコンテナを使用する必要がなく、従って段ボールや折畳みコンテナの組立と解体や書籍類の詰め込みや移送先での書籍類の格納のための整理の時間と手間とが節減されるという第１の効果がある。
【００１６】
また、移送元の書棚の１段分の書籍類をそのまま書籍類移送用台車の１段の棚に収納でき、書籍類移送用台車の１段の棚に収納された書籍類が移送先の書棚の１段にそのまま収納できるので、書籍類の取り出しから再格納までの手順が簡略化され、再格納の際の書籍の戻し位置を模索する必要がないという第２の効果がある。
【００１７】
使用後のラッピングフィルムの処理量は少なく、段ボールを使用する場合に比べて、廃材となる段ボールの処理の必要がなく処理の手数や費用が節減でき、省資源ともなるという第３の効果がある。
【発明を実施するための最良の形態】
【００１８】
次に、本発明の実施の形態について図面を参照して説明する。先ず本発明の実施の形態の書籍類移送用台車について説明する。図１は本発明の実施の形態の書籍類移送用台車の模式的斜視図である。書籍類移送用台車３は、底板３１と、左右の側板３２と、２枚の棚板３３と、底板３１の四隅に設けられている４個のキャスタとから構成されている。書籍類は底板３１と２枚の棚板３３の上に２列で格納される。構成部材の材質は木製でも金属製であってもよい。キャスタは、すべてが支持軸を中心に方向が３６０度回転可能な自在キャスタであることが移動の方向の自由度が高まるので望ましい。
【００１９】
書籍類移送用台車３の寸法は、書籍棚の共通的な内幅である８５〜９０ｃｍの１棚分に収納される書籍類の全幅が格納できるように棚板３３および底板３１の内幅Ｗを９０〜９５ｃｍとする。棚板３３および底板３１の奥行Ｄは、Ａ４版の書籍が２列収納できるようにＡ４版の書籍の奥行２１ｃｍに合わせて４０〜５０ｃｍとする。底板３１と下の棚板３３の間、および棚板３３の間の間隔ｈはＡ４版の書籍の高さ２９．７ｃｍに合わせて３２〜４０ｃｍとする。側板３２の高さＨは、９０〜１１０ｃｍとする。
【００２０】
書籍類移送用台車３は、移送元の書棚の近傍で、移送元の書棚の１枚の棚板分の書籍類の１列をそのまま底板３１と下の棚板３３の間、２枚の棚板３３の間、および上の棚板３３の上に収納して、書籍類移送台車３全体をラッピングフィルムでラッピング包装して安定させる。ラッピング包装した書籍類移送台車３をトラックで輸送して移送先の書棚の近傍でラッピングを解き１段分の書籍類をそのまま移送先の書棚の所定の棚に収納する。移送先が近い場合はトラックを使用せずに書籍類移送台車３を直接移送先に移動させてもよい。
【００２１】
次に、本発明の実施の形態の書籍類移送台車３を用いた書籍類移送方法について説明する。図２は本発明の実施の形態の書籍類移送台車を用いた書籍類移送方法を示す模式的流れ図である。図中（Ａ）から（Ｊ）と矢印は書籍類１１の流れを示す。
【００２２】
書籍類１１は移送元の書棚１に格納されているので、棚ごとに移送先の書棚２の収納棚の番地を示すラベル１３を、例えば書籍の間に差し込むなどの方法で取り付ける（ステップＡ）。他の方法で移送先の書棚の棚位置が指定できればラベルを用いなくてもよい。書棚１段分の書籍類１２を、格納されている移送元の書棚１から取り付けられているラベルと共に人手によって取り出して（ステップＢ）、取り出した書棚１段分の書籍類１２をそのまま書籍類移送用台車３の底板３１と下の棚板３３の間、２枚の棚板３３の間、あるいは上の棚板３３の上に収納する（ステップＣ）。この場合、書籍類の高さが棚板の間隔を超える場合は最上段に収納する。
【００２３】
次に収納した書籍類１１とともに書籍類移送台車３全体をラッピングフィルム４でラッピング包装して安定させて、ラッピング包装した書籍類移送台車３を搬出口まで移送し（ステップＤ）、積み込みゲートを有するゲート付トラック５のゲートによってラッピング包装した書籍類移送台車３をゲート付トラック５の内部に格納し（ステップＥ）、ゲート付トラック５を移送先の搬入口まで移動させ、移送先でゲートを利用してラッピング包装した書籍類移送台車３をゲート付トラック５から降ろす（ステップＦ）。フォークリフトなどのトラックへの積み卸し手段があれば通常のトラックでもよい。また、移送先が近く書籍類移送台車３での直接の移送が可能であればトラックを使用しなくてもよい。
【００２４】
ラッピング包装した書籍類移送台車３を移送先の書棚２の近傍まで移動させて（ステップＧ）、ラッピングフィルム４を取り除き（ステップＨ）、収納されている内部の書棚１段分の書籍類１２を人手で取り出して（ステップＩ）、そのまま取り付けられているラベルに指定されている移送先の書棚２の所定の棚の上に格納し（ステップＪ）、取り外したラッピングフィルム４を廃棄物として処理する。
【図面の簡単な説明】
【００２５】
【図１】本発明の実施の形態の書籍類移送用台車の模式的斜視図である。
【図２】本発明の実施の形態の書籍類移送台車を用いた書籍類移送方法を示す模式的流れ図である。
【図３】従来の書籍類移送方法を示す模式的流れ図である。
【符号の説明】
【００２６】
１、６１    移送元の書棚
２、６２    移送先の書棚
３    書籍類移送用台車
４    ラッピングフィルム
５、６５    ゲート付トラック
１１、７１    書籍類
１２    書棚１段分の書籍類
１３    ラベル
３１    底板
３２    側板
３３    棚板
３４    キャスタ
６３    段ボール
６４    手押し車
Ｄ    棚板の奥行
Ｈ    側板の高さ
Ｗ    側板間の内幅
ｈ    底板と棚板および棚板間の間隔
【図１】
2006168632.tif 000003
【図２】
2006168632.tif 000004
【図３】
2006168632.tif 000005